【手続補正書】
【提出日】平成20年12月11日(2008.12.11)
【手続補正１】
【補正対象書類名】特許請求の範囲
【補正対象項目名】全文
【補正方法】変更
【補正の内容】
【特許請求の範囲】
【請求項１】
凹状に形成された乾燥室と、前記乾燥室を形成する１つの面から噴流を噴射する噴流発生部を備えたノズル部と、前記噴流発生部から噴出する空気を送出するファンモータとを備えた手乾燥装置であって、前記ノズル部から噴出される噴流が、挿入した手に断続的に接触することを特徴とする手乾燥装置。
【請求項２】
凹状に形成された乾燥室と、前記乾燥室を形成する１つの面から噴流を噴射する噴流発生部を備えたノズル部と、前記噴流発生部から噴出する空気を送出するファンモータとを備えた手乾燥装置であって、前記ノズル部から噴出される噴流の風速を変動させることを特徴とする手乾燥装置。
【請求項３】
ノズル部が回転運動する回転ノズルであることを特徴とする請求項１または請求項２記載の手乾燥装置。
【請求項４】
回転ノズルは運転開始と共に回転を始め、運転後は回転が止まることを特徴とする請求項３に記載の手乾燥装置。
【請求項５】
回転ノズルをノズル部に備えた軸受と連結したことを特徴とする請求項３または請求項４に記載の手乾燥装置。
【請求項６】
ファンモータから回転ノズルまでに空気を連通する流路を備え、軸受の内輪側を通過するように前記流路を設けたことを特徴とする請求項３〜５のいずれかに記載の手乾燥装置。
【請求項７】
ノズル部にモータを備え、回転ノズルを前記モータにて駆動させる構成としたことを特徴とする請求項３〜６のいずれかに記載の手乾燥装置。
【請求項８】
複数個の回転ノズルの各々の回転軸が平行となるように設置したことを特徴とする請求項３〜７のいずれかに記載の手乾燥装置。
【請求項９】
回転ノズルを複数個設置し、前記回転ノズルの大きさが異なることを特徴とする請求項３〜８のいずれかに記載の手乾燥装置。
【請求項１０】
回転ノズルと別に静止した静止ノズルを有することを特徴とする請求項３〜９のいずれかに記載の手乾燥装置。
【請求項１１】
凹状に形成された乾燥室と、前記乾燥室を形成する少なくとも２つ以上の面に設置されたノズル部と、前記ノズル部に具備された噴流を噴射する噴流発生部と、前記噴流発生部から噴出する空気を送出するファンモータとを備えた手乾燥装置であって、前記ノズル部から噴出される噴流が、挿入した手に断続的に接触することを特徴とする手乾燥装置。
【手続補正２】
【補正対象書類名】明細書
【補正対象項目名】全文
【補正方法】変更
【補正の内容】
【発明の詳細な説明】
【発明の名称】手乾燥装置
【技術分野】
【０００１】
本発明は、洗面所やトイレ等で手を洗い、濡れた手を乾燥させる手乾燥装置に関するものである。
【背景技術】
【０００２】
従来、この種の手乾燥装置は、高速風により乾燥する方式としたものが知られている（例えば、特許文献１参照）。
【０００３】
以下、その手乾燥装置について図４０および図４１を参照しながら説明する。図４０、図４１に示すように、壁面に固定された本体１０１は、下部に高速噴流を噴き出すノズル部１０２と前記ノズル部１０２から高速噴流を噴き出す方向に設置された水滴回収手段である水受け１０３を付属している。前記ノズル部１０２と前記水受け１０３の間に手を挿入して乾燥させるための処理空間１０４が形成される。本体１０１内には送風手段１０５、発熱手段１０６および制御手段１０７が設けられている。処理空間１０４の中に挿入された手を検知して送風手段１０５および発熱手段１０６に通電するための検知手段１０８を本体１０１の一部に付属している。
【０００４】
上記構成において濡れた手を処理空間１０４に挿入すると、検知手段１０８により手の存在を検知して、送風手段１０５および発熱手段１０６を動作させる。これにより本体下部に設置された吸込口１０９から外部空気を吸込み、送風手段１０５と発熱手段１０６を経由して温風が形成されてノズル部１０２より送風される。このとき差し出した手に温風が当たり、手を乾燥させる。手を引っ込めると検知手段１０８の検出がなくなるので、送風手段１０５および発熱手段１０６は停止する。このような運転の作業を制御手段１０７にて実施する。
【０００５】
手から離れた水滴は水受け１０３に集められるが、ノズル部１０２の送風により飛散しやすくなるため、水受け１０３の前部および側部の突出壁１１０を付属して周囲への飛散を防止する構成になっている。また水受けにて回収した水滴は、水受けにあるドレン穴１１１を通過して、ドレンタンク１１２に一定の量を溜められる。ドレンタンク１１２は定期的にメンテナンスされ回収された水滴を廃棄するようになっている。
【０００６】
また、両面から高速風を噴出すことにより乾燥する方式としたものが知られている（例えば、特許文献２参照）。
【０００７】
以下、その手乾燥装置について図４２、図４３を参照しながら説明する。
【０００８】
図４２及び図４３に示すように、壁面に固定された本体２０１は、高速噴流を噴き出す噴出ノズル２０２を対に対峙した形で付属している。前記噴出ノズル２０２の対峙した空間に手を挿入して乾燥させるための処理空間２０４が本体内部に形成される。その処理空間２０４の下方に水滴回収手段である水受け２０３を付属している。本体２０１内には送風手段２０５および制御手段２０７が設けられている。処理空間２０４の中に挿入された手を検知して送風手段２０５に通電するための検知手段２０８を本体２０１の一部に付属している。上記構成において濡れた手を処理空間２０４に挿入すると、検知手段２０８により手の存在を検知して、送風手段２０５を動作させる。これにより本体下部に設置された吸込口２０９から外部空気を吸込み、送風手段２０５を経由して風が形成されて噴出ノズル１０２より送風される。このとき差し出した手に風が当たり、手を乾燥させる。手を引っ込めると検知手段２０８の検出がなくなるので、送風手段２０５は停止する。このような運転の作業を制御手段２０７にて実施する。
【特許文献１】特開平１０−７１１０１号公報
【特許文献２】特開平５−２９３０５５号公報
【発明の開示】
【発明が解決しようとする課題】
【０００９】
このような従来の手乾燥装置では、一定の風速の噴流を濡れた手に当てても手が乾きづらいという課題があり、また手を乾かす以外に用途がないという課題がある。本発明は、このような従来の課題を解決するものであり、風速を変動させた噴流を手に衝突させることで、手に付着した水分をなくし、手を乾燥させることができ、また手を乾かす以外に手を脈動空気を当てることでリラックス効果を得ることができる手乾燥装置を提供することを目的としている。
【００１０】
また、風量、風速を調整しにくいという課題があり、また脈動空気の手に当たる感覚を任意に調節できないという課題がある。本発明は、このような従来の課題を解決するものであり、風速、風量を調節して変動させた噴流を手に衝突させることで、手に付着した水分を更になくしやすくすることができ、また手に当たる脈動空気の手に当たる感覚を調整することができることができる手乾燥装置を提供することを目的としている。
【００１１】
また、回転ノズルだけでは、手に付着した水滴を除去できない箇所があるという課題がある。本発明は、このような従来の課題を解決するものであり、静止ノズルを組み合わせることで手に付着した水滴を除去することができる手乾燥装置を提供することを目的としている。
【課題を解決するための手段】
【００１２】
本発明の手乾燥装置は、上記目標を達成するため前記ノズル部から噴出される噴流が、挿入した手に断続的に接触することを特徴とする。そして、本発明によれば風速を変動させた噴流を手に衝突させることで、手に付着した水分をなくすとともに手を乾かす以外に手を脈動空気を当てることでリラックス効果を得ることができる手乾燥装置が得られる。
【００１３】
また、ノズル部から噴出される噴流の風速が、乾燥室のある固定点において意図的に変動することを特徴とする。
【００１４】
また、ノズル部が回転運動する回転ノズルであることを特徴とする。
【００１５】
また、回転ノズルは運転開始と共に回転を始め、運転後は回転が止まることを特徴とする。
【００１６】
また、回転ノズルをノズル部に備えた軸受と連結したことを特徴とする。
【００１７】
また、ファンモータから回転ノズルまでに空気を連通する流路を備え、軸受の内輪側を通過するように前記流路を設けたことを特徴とする。
【００１８】
また、回転ノズルをモータにて駆動させる構成としたことを特徴とする。
【００１９】
また、複数個の回転ノズルの各々の回転軸が平行となるように設置したことを特徴とする。
【００２０】
また、回転ノズルを複数個設置し、前記回転ノズルの大きさが異なることを特徴とする。
【００２１】
また、回転ノズルと別に静止した静止ノズルを有することを特徴とする。そして、本発明によれば静止ノズルを組み合わせることで手に付着した水滴を除去することができる手乾燥装置が得られる。
【００２２】
また、風速を変動させた噴流を手に衝突させることで、手に付着した水分をなくすとともに手を乾かす以外に手を脈動空気を当てることでリラックス効果を得ることを特徴とする。
【発明の効果】
【００２３】
本発明によれば前記ノズル部から噴出される噴流が、挿入した手に断続的に接触することにより手に付着した水分を乾かしやすくすることで手乾燥を短時間に行うことができるとともに風速が変動することによるマッサージ効果により使用者をリラックスさせるという効果のある手乾燥装置を提供できる。
【００２４】
また、前記ノズル部から噴出される噴流の風速が、前記乾燥室のある固定点において意図的に変動することにより、同様の効果のある手乾燥装置を提供できる。
【００２５】
また、前記ノズル部が回転運動する回転ノズルであることにより、同様の効果のある手乾燥装置を提供できる。
【００２６】
また、前記回転ノズルは運転開始と共に回転を始め、運転後は回転が止まることにより、同様の効果のある手乾燥装置を提供できる。
【００２７】
また、前記回転ノズルを軸受と連結したことにより、同様の効果のある手乾燥装置を提供できる。
【００２８】
また、前記軸受の内輪側を通過するように前記流路を設けたことにより、同様の効果のある手乾燥装置を提供できる。
【００２９】
また、前記回転ノズルをモータにて駆動させる構成としたことにより、同様の効果のある手乾燥装置を提供できる。
【００３０】
また、複数個の前記回転ノズルの各々の前記回転軸が平行となるように設置したことにより、同様の効果のある手乾燥装置を提供できる。
【００３１】
また、前記回転ノズルを複数個設置し、前記回転ノズルの大きさが異なることにより、同様の効果のある手乾燥装置を提供できる。
【００３２】
また、前記回転ノズルと別に静止した静止ノズルを有することにより、同様の効果のある手乾燥装置を提供できる。
【００３３】
また、前記ノズル部から噴出される噴流が、挿入した手に断続的に接触することにより手に付着した水分を乾かしやすくすることで手乾燥を短時間に行うことができるとともに風速が変動することによるマッサージ効果により使用者をリラックスさせるという効果のある手乾燥装置を提供できる。
【発明を実施するための最良の形態】
【００３４】
本発明の請求項記載の発明は、前記ノズル部から噴出される噴流が、挿入した手に断続的に接触するものであり、風速を変動させることで手に付着した水滴に作用する運動エネルギーが変化して水滴の表面を振動させることができ、その振動により空気が接触する場所が増えることで、水分を乾かしやすくすることができるという作用を有する。
【００３５】
また、前記回転ノズルと別に静止した静止ノズルを有するものであり、回転ノズルだけでは噴流を手に接触できない箇所が発生する場合に、静止ノズルにより噴流を手に接触させるようにできるという作用を有する。
【００３６】
また、噴流発生部が回転移動する回転ノズルであり、手に付着した水滴を環状に噴流を接触させて除去できるという作用を有する。
【００３７】
また、回転ノズルは運転開始と共に回転を始め、運転停止と共に回転が止まるものである。それにより使用者が手を挿入していない際には無駄なエネルギーを使用しないという作用を有する。
【００３８】
また、回転ノズルをノズル部に備えた軸受と連結したものであり、噴流発生部を回転移動する際にスムースに支持することができるという作用を有する。
【００３９】
また、ファンモータから回転ノズルまでに空気を連通する流路を備え、軸受の内輪側を通過するように流路を設けることで高圧となる流路より外側に軸受としての支持部があるため、安定した回転を得ることができるという作用を有する。
【００４０】
また、回転ノズルをモータにて駆動させる構成としたものであり、電気的に回転数を調整することも可能であり、且つ制御も容易にすることができるという作用を有する。
【００４１】
また、回転ノズルの回転軸を平行にしたものであり、同一平面に複数の回転ノズルからの噴流を当てることができるという作用を有する。
【００４２】
また、複数の回転ノズルの大きさが異なるものであり、手の部位により噴流の当て方を調整できるという作用を有するものである。
【００４３】
また、回転ノズルと別に静止した静止ノズルを有するものであり、回転ノズルの噴流発生部より噴射した噴流では手に接触しない部分を、別途静止した静止ノズルを組み合わせて設けることで手に付着した水分を残水なく除去することができるという作用を有する。
【００４４】
また、本発明の請求項４１記載の発明は、凹状に形成された乾燥室と、乾燥室を形成する少なくとも２つ以上の面から噴流を噴射する噴流発生部を備えたノズル部と、噴流発生部から噴出する空気を送出するファンモータとを備えた手乾燥装置であって、前記ノズル部から噴出される噴流が、挿入した手に断続的に接触するものであり、風速を変動させることで手に付着した水滴に作用する運動エネルギーが変化して水滴の表面を振動させることができ、その振動により空気が接触する場所が増えることで、水分を乾かしやすくすることができるという作用を有する。
【００４５】
以下、本発明の実施の形態について図面を参照しながら説明する。
（実施の形態１）
本発明の実施の形態１は、図１から図４に示すように、壁面に固定された手乾燥装置１は、手乾燥装置１の上部にノズル部２を持ち、ノズル部２から高速噴流を噴き出す方向に設置された水滴回収手段である乾燥室３を付属している。ノズル部２と乾燥室３の間に手を挿入して乾燥させるための処理空間４が手乾燥装置１の内部の自由空間に形成される。手乾燥装置１内にはファンモータ５、発熱手段６および制御手段７が設けられている。処理空間４の中に挿入された手を検知してファンモータ５および発熱手段６に通電するための検知手段８を手乾燥装置１の一部に付属している。ファンモータ５の上部に乾燥室３を設置しており、ノズル部２は乾燥室３の上部に位置している。
【００４６】
マイコンを搭載した回路基盤としての制御手段７が設けられており、処理空間４の中に手が挿入されると、乾燥室３の一部に設けられた例えば赤外線センサによる検知手段８により手の存在を検知して制御手段７に検知信号を送り、制御手段７によりファンモータ５および発熱手段６の通電が開始される。また、使用者の手を検知手段８が検知しなくなると、制御手段７に検知信号を送らなくなり、制御手段７はファンモータ５および発熱手段６への通電を停止する制御をしている。
【００４７】
上記構成において濡れた手を処理空間４に挿入すると、検知手段８により手の存在を検知して、ファンモータ５および発熱手段６を動作させる。これにより本体下部に設置された吸込口９から外部空気を吸込み、ファンモータ５と発熱手段６を経由して温風が形成されてノズル部２より送風される。このとき差し出した手に温風が当たり、手を乾燥させる。
【００４８】
ノズル部２が移動することで、噴流の発生する場所が変化する。ノズル部２が固定されていれば手を動かす速度により乾燥時間が左右される。ノズル部２が移動することで、手を動かすことなく乾燥できることができ、乾燥時間を手の動作に影響なく実施できる。またノズル部２を周期的かつ繰り返し変化させることで脈動を発生させる。発熱手段６としては、発熱できれば良く、ＰＴＣヒータ、赤外線ヒータなどがある。検知手段８は、手の存在を検知できれば良く、焦電型センサ−、光センサなどがある。
【００４９】
ノズル部２は、軸受１０を経由して手乾燥装置１の静止部１１に設置されており、ノズル部２からの高速噴流による運動エネルギーの反力でノズル部２が回転軸１２を中心として回転する構成となっている。したがってノズル部２を回転ノズル１３と表現する。
【００５０】
回転ノズル１３は軸受１０と連結されており、軸受１０はシール付きを使い、高圧部１４と大気圧部１５の両側に接触する構成としている。
【００５１】
軸受１０の外径は回転ノズル１３の外径より小さく、軸受１０の内輪側を通過するように流路を設けている。
【００５２】
回転ノズル１３は、成形可能な合成樹脂により形成されている。
【００５３】
回転ノズル１３には、スリット状または多孔状の噴流発生部１６が少なくとも１つ以上あり、噴流発生部１６が回転ノズル１３の回転と共に場所を変化させる。これにより噴流発生部１６からの高速噴流が、脈動空気となり断続的かつ周期的に、処理空間４に挿入した手に接触する。
【００５４】
手を引っ込めると検知手段８の検出がなくなるので、制御手段７によりファンモータ５および発熱手段６は停止する。このような運転の作業を制御手段７にて実施する。これに伴い高速噴流が停止するため、回転ノズル１３の回転も自動的に停止する。
【００５５】
回転ノズル１３に噴流発生部１６が設置された噴流発生部設置面１７は、回転ノズル１３の回転軸１２と平行ではない。また、回転ノズル１３の回転軸１２は、床面に対して平行でない。
【００５６】
噴流発生部１６から噴射される噴流の風速は７０〜１２０ｍ／ｓとすることで、回転ノズル１３を駆動する力を伝達することができる。風速が７０ｍ／ｓより速くとなると回転ノズル１３が駆動しにくくなり、回転数が低下する。また風速が１２０ｍ／ｓより速くなると回転数が増加しすぎると、水滴が除去しにくくなり乾燥効果が低下する。
【００５７】
風速が１２０ｍ／ｓより速い場合は、回転ノズル１３の一部に制御翼１８を設置して回転数を調節することもできる。
【００５８】
また、風速が７０ｍ／ｓより遅い場合は、回転ノズル１３をモータ１９にて駆動させる構成とするか、あるいはファンモータ５から回転ノズル１３までに空気を連通する流路２０を備え、流路２０の内にあり、回転ノズル１３の一部に自転装置２６を設け、回転ノズル１３を駆動させる構成とすれば噴流の風速によらず回転させることができる。
【００５９】
回転ノズル１３はバランスの調節をするバランス調整部２１を有することでアンバランスを防ぐことができるため、振動の発生を防止できる。
【００６０】
また、回転ノズル１３に設けた噴流発生部１６の流入側にメッシュを設けたことで、噴流の発生を変化させ、騒音を低減する効果を有することができる。
【００６１】
回転ノズル１３は手が左右あるため、左右対称となるように複数配置すると、１個の設置より効果的である。この場合、複数個ある回転ノズル１３の回転軸１２が平行に設置されている。
【００６２】
回転ノズル１３が左右で逆回転をすることで、左右それぞれの回転ノズル１３の噴流の干渉を防ぐことができるため、水滴が飛散することを防止することができる。
【００６３】
また、回転ノズル１３の外側に静止した防護壁２２を設けて、使用者が回転ノズル１３に接触しにくくすることで安全に使用できるようにしている。
【００６４】
乾燥室３にて回収した水滴は、乾燥室３にあるドレン穴２３を通過して、ドレンタンク２４に一定の量を溜められる。ドレンタンク２４は定期的にメンテナンスされ回収された水滴を廃棄するようになっている。
【００６５】
なお、前記ファンモータ５は、一般的に掃除機などに使用される電動送風機であり、ブラシ付モータによるものおよびブラシレスモータによるものを含み、ターボファンを使用しモータの高速回転による温度上昇を冷却しながら送出するものである。
（参考の形態１）
実施の形態１と同一部分については同一番号を付し、詳細な説明は省略する。
【００６６】
本発明の参考の形態１は、図５に示すように、回転ノズル１３に設置された噴流発生部１６の形状をスリット形状の変わりに複数個の孔または楕円とすることで風量、風速を変化させることもできる。
（参考の形態２）
実施の形態１と同一部分については同一番号を付し、詳細な説明は省略する。本発明の参考の形態２は、図６に示すように、回転ノズル１３に設置された噴流発生部１６を複数設置させることで、手に当たる噴流の感覚を変化させることができる。
（参考の形態３）
実施の形態１と同一部分については同一番号を付し、詳細な説明は省略する。本発明の参考の形態３は、図７に示すように、回転ノズル１３に設置された噴流発生部１６を複数箇所設け、噴流発生部１６の回転軸１２が通る中心点２７から最も遠い位置がそれぞれ異なることで、手に当たる噴流の感覚を変化させることができる。
（参考の形態４）
実施の形態１と同一部分については同一番号を付し、詳細な説明は省略する。本発明の参考の形態４は、図８に示すように、複数の回転ノズル１３の各々に設置された噴流発生部１６の設置箇所や形状を変化させることで、手の各部位での水滴除去に最適な構成を作ることができる。
（実施の形態２）
実施の形態１と同一部分については同一番号を付し、詳細な説明は省略する。本発明の実施の形態２は、図９に示すように、同様に複数の回転ノズル１３の大きさを設置する場所によって変えることで乾燥時間を短縮させることもできる。
（実施の形態３）
実施の形態１または実施の形態２と同一部分については同一番号を付し、詳細な説明は省略する。本発明の実施の形態３は、図１０、図１１に示すように、回転ノズル１３とは別に静止した静止ノズル２５を有することで、回転ノズル１３だけでは除去できない水滴を除去することができる。静止ノズル２５が左右にある回転ノズル１３の間に設置したり、静止ノズル２５が左右にある回転ノズル１３の周辺にあることも可能である。
（参考の形態５）
実施の形態１から７のいずれかと同一部分については同一番号を付し、詳細な説明は省略する。本発明の実施の形態８は、図１２に示すように、複数個の回転ノズル１３の各々の回転軸１２を交差させることもできる。
（参考の形態６）
実施の形態１から８のいずれかと同一部分については同一番号を付し、詳細な説明は省略する。本発明の実施の形態９は、図１３および図１４に示すように、乾燥室３は、ファンモータ５よりも低い位置に設置したりすることもでき、構成上の都合により設置方法を検討するべきである。
（実施の形態４）
実施の形態１から３のいずれかと同一部分については同一番号を付し、詳細な説明は省略する。本発明の実施の形態１０は、図１５から図１８に示すように、壁面に固定された手乾燥装置１は、手乾燥装置１の上部に乾燥室３を持ち、乾燥室３を構成する２つの対面した面にそれぞれノズル部２を持ち、ノズル部２から高速噴流を噴き出す。手乾燥装置１内にはファンモータ５、発熱手段６および制御手段７が設けられている。乾燥室３の中に挿入された手を検知してファンモータ５および発熱手段６に通電するための検知手段８を手乾燥装置１の一部に付属している。発熱手段６としては、発熱できれば良く、ＰＴＣヒータ、赤外線ヒータなどがある。検知手段８は、手の存在を検知できれば良く、焦電型センサ−、光センサなどがある。
【００６７】
手乾燥装置１内には、例えば一般的に掃除機などに使用される電動送風機であり、ブラシ付モータによるものおよびブラシレスモータによるものを含み、ターボファンを使用しモータの高速回転による温度上昇を冷却しながら送出するファンモータ５及び、発熱手段６としての例えばＰＴＣヒータおよびマイコンを搭載した回路基盤としての制御手段７が設けられており、処理空間４の中に手が挿入されると、乾燥室３の一部に設けられた例えば赤外線センサによる検知手段８により手の存在を検知して制御手段７に検知信号を送り、制御手段７によりファンモータ５および発熱手段６の通電が開始される。また、使用者の手を検知手段８が検知しなくなると、制御手段７に検知信号を送らなくなり、制御手段７はファンモータ５および発熱手段６への通電を停止する制御をしている。
【００６８】
上記構成において濡れた手を処理空間４に挿入すると、検知手段８により手の存在を検知して、ファンモータ５および発熱手段６を動作させる。これにより本体下部に設置された吸込口９から外部空気を吸込み、ファンモータ５と発熱手段６を経由して温風が形成されてノズル部２より送風される。このとき差し出した手に温風が当たり、手を乾燥させる。
【００６９】
ノズル部２が移動することで、噴流の発生する場所が変化する。ノズル部２が固定されていれば手を動かす速度により乾燥時間が左右される。ノズル部２が移動することで、手を動かすことなく乾燥できることができ、乾燥時間を手の動作に影響なく実施できる。またノズル部２を周期的かつ繰り返し変化させることで脈動を発生させる。
【００７０】
ノズル部２は、軸受１０を経由して手乾燥装置１の静止部１１に設置されており、ノズル部２からの高速噴流による運動エネルギーの反力でノズル部２が回転軸１２を中心として回転する構成となっている。したがってノズル部２を回転ノズル１３と表現する。
【００７１】
回転ノズル１３は軸受１０と連結されており、軸受１０はシール付きを使い、高圧部１４と大気圧部１５の両側に接触する構成としている。
【００７２】
軸受１０の外径は回転ノズル１３の外径より小さく、軸受１０の内輪側を通過するように流路を設けている。
【００７３】
回転ノズル１３は、成形可能な合成樹脂により形成されることで安価に製作が可能となり、且つ軽量とすることが可能となる。
【００７４】
回転ノズル１３は例えば手の幅に合わせて直径８０〜１３０ｍｍとし、幅１．５〜２．５ｍｍのスリット状または直径２〜３ｍｍの多孔状の噴流発生部１６が少なくとも１つ以上を有し、噴流発生部１６が回転ノズル１３の回転と共に場所を変化させる。これにより噴流発生部１６からの高速噴流が、脈動空気となり断続的かつ周期的に、処理空間４に挿入した手に接触する。
【００７５】
手を引っ込めると検知手段８の検出がなくなるので、制御手段７によりファンモータ５および発熱手段６は停止する。このような運転の作業を制御手段７にて実施する。これに伴い高速噴流が停止するため、回転ノズル１３の回転も自動的に停止する。
【００７６】
回転ノズル１３に噴流発生部１６が設置された噴流発生部設置面１７は、回転ノズル１３の回転軸１２と平行としないことで単一平面に噴流を噴射する構成となり、対象物に絶え間なく噴流を当てることができる。また、回転ノズル１３の回転軸１２は、床面に対して平行でないようにすることで、使用者に対し、使い勝手の良い角度、例えば１０〜３０度の角度とすることで屈まずに手を挿入することができる。
【００７７】
噴流発生部１６から噴射される噴流の風速は７０〜１２０ｍ／ｓとすることで、回転ノズル１３を駆動する力を伝達することができる。風速が７０ｍ／ｓより速くとなると回転ノズル１３が駆動しにくくなり、回転数が低下する。また風速が１２０ｍ／ｓより速くなると回転数が増加しすぎると、水滴が除去しにくくなり乾燥効果が低下する。
【００７８】
風速が１２０ｍ／ｓより速い場合は、回転ノズル１３の一部に制御翼１８を設置して回転数を調節することもできる。例えば制御翼１８は図１８に示すように回転方向に対して垂直に設置することにより、回転ノズル１３が回転した際に風を受けて抵抗となるため、回転力を減衰させる作用を利用して回転数を調節するものである。
【００７９】
また、風速が７０ｍ／ｓより遅い場合は、回転ノズル１３をモータ１９にて駆動させる構成とするか、あるいはファンモータ５から回転ノズル１３までに空気を連通する流路２０を備え、流路２０の内にあり、回転ノズル１３の一部に例えば風を受けて回転する風車の作用を使った自転装置２６を設け、回転ノズル１３を駆動させる構成とすれば噴流の風速によらず回転させることができる。
【００８０】
回転ノズル１３はバランスの調節をするバランス調整部２１を有することでアンバランスを防ぐことができるため、振動の発生を防止できる。バランス調整部２１は、回転ノズル１３の重心が回転軸１２と重ならない場合に用いるものであり、回転軸１２を中心とし回転ノズル１３の重心位置と反対位置にバランス調整部２１としての例えばリブ形状の肉厚部を設けることでアンバランスを解消するものである。
【００８１】
また、回転ノズル１３に設けた噴流発生部１６の流入側にメッシュを設けたことで、噴流の発生前に渦を発生させることで噴流を変化させ、騒音を低減する効果を有することができる。メッシュは例えば２０〜８０メッシュサイズのステンレス製金網を使用しても良いし、樹脂製のプリネットフィルターを用いても良い。なお、設置方法としては、風の流れる方向に対し、垂直に設置すると効果がある。
【００８２】
回転ノズル１３は手が左右あるため、左右対称となるように複数配置すると、1個の設置より効果的である。この場合、複数個ある回転ノズル１３の回転軸１２が平行に設置されていると手を横並びに挿入できる使い勝手の良いものとなる。
【００８３】
回転ノズル１３が左右で逆回転をすることで、左右それぞれの回転ノズル１３の噴流の干渉を防ぐことができるため、水滴が飛散することを防止することができる。
【００８４】
また、回転ノズル１３の外側に静止した防護壁２２を設けて、使用者が回転ノズル１３に接触しにくくすることで安全に使用できるようにしている。
【００８５】
乾燥室３にて回収した水滴は、乾燥室３にあるドレン穴２３を通過して、ドレンタンク２４に一定の量を溜められる。ドレンタンク２４は定期的にメンテナンスされ回収された水滴を廃棄するようになっている。
（参考の形態７）
実施の形態１から４のいずれかと同一部分については同一番号を付し、詳細な説明は省略する。本発明の実施の形態１１は、図１９及び図２０に示すように、回転ノズル１３に設置された噴流発生部１６の形状をスリット形状の変わりに複数個の孔または楕円とすることで風量、風速を変化させることもできる。例えば直径２〜３ｍｍの孔とすることで手の一点に集中して噴流を当てることができる。
（参考の形態８）
実施の形態１から４のいずれかと同一部分については同一番号を付し、詳細な説明は省略する。本発明の実施の形態１２は、図２１及び図２２に示すように、回転ノズル１３に設置された噴流発生部１６を複数設置させることで、手に当たる噴流の感覚を変化させることができる。
（参考の形態９）
実施の形態１から４のいずれかと同一部分については同一番号を付し、詳細な説明は省略する。本発明の実施の形態１３は、図２３及び図２４に示すように、回転ノズル１３に設置された噴流発生部１６を複数箇所設け、噴流発生部１６の回転軸１２が通る中心点２７から最も遠い位置がそれぞれ異なることで、手に当たる噴流の感覚を変化させることができる。例えば、スリット状の噴流発生部１６を半径方向に複数設置し、且つ回転軸１２に対しそれぞれ角度をつけることにより、それぞれの噴流発生部１６は手の別の部位に噴流を当てることができ、心地よさを作り出すことができる。
（参考の形態１０）
実施の形態１から４のいずれかと同一部分については同一番号を付し、詳細な説明は省略する。本発明の実施の形態１４は、図２５及び図２６に示すように、複数の回転ノズル１３の各々に設置された噴流発生部１６の設置箇所や形状を変化させることで、手の各部位での水滴除去に最適な構成を作ることができる。
（参考の形態１１）
実施の形態１から４のいずれかと同一部分については同一番号を付し、詳細な説明は省略する。本発明の実施の形態１５は、図２７及び図２８に示すように、同様に複数の回転ノズル１３の大きさを設置する場所によって変えることで乾燥時間を短縮させることもできる。
（参考の形態１２）
実施の形態１から４のいずれかと同一部分については同一番号を付し、詳細な説明は省略する。本発明の実施の形態１６は、図２９から図３２に示すように、回転ノズル１３とは別に静止した静止ノズル２５を有することで、回転ノズル１３だけでは除去できない水滴を除去することができる。
【００８６】
指先の水滴が除去できない場合は、例えば図２９及び３０に示すように静止ノズル２５が左右にある回転ノズル１３の間に設置することで親指周りの水滴を除去する構成としたり、例えば図３１及び３２に示すように静止ノズル２５が左右にある回転ノズル１３の周辺に設置することで指先や手の側面、指の間などの水滴を除去することで残水の無い乾燥が可能である。
（参考の形態１３）
実施の形態１から４のいずれかと同一部分については同一番号を付し、詳細な説明は省略する。本発明の実施の形態１７は、図３３及び図３４に示すように、複数個の回転ノズル１３の各々の回転軸１２を交差させることもできる。例えば、八の字に手を挿入する乾燥室を形成した場合には回転軸１２を交差させるように回転ノズル１３を配置することで、手に垂直に噴流を噴射することができ、乾燥効果の高い手乾燥装置が提供できる。
（参考の形態１４）
実施の形態１から４のいずれかと同一部分については同一番号を付し、詳細な説明は省略する。本発明の実施の形態１８は、図３５に示すように乾燥室３は、ファンモータ５よりも低い位置することで、本体の設置位置を高くすることができ、狭いトイレ空間内においても洗面台の横などに手乾燥装置を設置することができる。
（参考の形態１５）
実施の形態１から４のいずれかと同一部分については同一番号を付し、詳細な説明は省略する。本発明の実施の形態１９は、図３５に示すように少なくとも１組以上の回転ノズル１３が対向するように設置することで挿入された手の両面より噴流を当てることができ、乾燥時間短縮に効果がある。また、対向して設置した回転ノズル１３の回転方向を同一方向または逆回転とすることで水滴の除去方向を制御することができる。
（参考の形態１６）
実施の形態１から４のいずれかと同一部分については同一番号を付し、詳細な説明は省略する。本発明の実施の形態２０は、図３６に示すようにファンモータ５の能力に余裕があり、回転しなくとも十分乾燥時間を満足できる場合や、回転ノズル１３を設置するスペースが無い場合によっては、乾燥室３を形成する面の少なくとも１面は静止ノズル２５のみとすることも可能である。
（参考の形態１７）
実施の形態１から４のいずれかと同一部分については同一番号を付し、詳細な説明は省略する。本発明の実施の形態２１は、図３７に示すようにファンモータ５を２個使用することでさらに風量の増加が可能であるため、乾燥時間短縮に効果がある。また、図３８に示すように流路２０中で合流させる構成とすることで設置する流路は１つとなり、部品点数削減に効果がある。また、図３９に示すようにファンモータ５からの流路２０を２系統とすることで高圧空気の風量や圧力に差を設けてノズル部へ供給する際に有効である。また、図３９に示すようにファンモータ５を乾燥室３の上下に１個づつ配置することも可能である。
【産業上の利用可能性】
【００８７】
本発明にかかる手乾燥装置は、ノズル部から噴出される噴流が、挿入した手に断続的に接触することにより手に付着した水分を乾かしやすくすることで手乾燥を短時間に行うことができるとともに、風速が変動することによるマッサージ効果により使用者をリラックスさせるという効果がある。
よって、洗面所やトイレ等で手を洗い、濡れた手を乾燥させる装置等に有効であり、また、一般的に液体によって濡れたものを乾燥させる用途としても適用できる。また、乾燥を実施する必要のない用途にもマッサージ効果を必要とする用途にて使用も可能である。
【図面の簡単な説明】
【００８８】
【図１】本発明の実施の形態１の構造を示す側断面図
【図２】同斜視図
【図３】同実施の形態１の一部の構造を示す側断面図
【図４】同実施の形態１の構造を示す斜視図
【図５】本発明の参考の形態１の構造を示す斜視図
【図６】本発明の参考の形態２の構造を示す斜視図
【図７】本発明の参考の形態３の構造を示す斜視図
【図８】本発明の参考の形態４の構造を示す斜視図
【図９】本発明の実施の形態２の構造を示す斜視図
【図１０】本発明の実施の形態３の構造を示す斜視図
【図１１】同実施の形態３の別の構造を示す斜視図
【図１２】本発明の参考の形態５の構造を示す斜視図
【図１３】本発明の参考の形態６の構造を示す斜視図
【図１４】同側断面図
【図１５】本発明の実施の形態４の構造を示す側断面図
【図１６】同斜視図
【図１７】同斜視図
【図１８】同実施の形態４の一部の構造を示す側断面図
【図１９】本発明の参考の形態７の構造を示す斜視図
【図２０】同斜視図
【図２１】本発明参考の形態８の構造を示す斜視図
【図２２】同斜視図
【図２３】本発明の参考の形態９の構造を示す斜視図
【図２４】同斜視図
【図２５】本発明の参考の形態１０の構造を示す斜視図
【図２６】同斜視図
【図２７】本発明の参考の形態１１の構造を示す斜視図
【図２８】同斜視図
【図２９】本発明の参考の形態１２の構造を示す斜視図
【図３０】同斜視図
【図３１】本発明の参考の形態１２の別の構造を示す斜視図
【図３２】同斜視図
【図３３】本発明の参考の形態１３の構造を示す斜視図
【図３４】同斜視図
【図３５】本発明の参考の形態１４及び参考の形態１６の構造を示す斜視図
【図３６】本発明の参考の形態１６の構造を示す斜視図
【図３７】本発明の参考の形態１７の構造を示す一部断面を含む斜視図
【図３８】同一部断面を含む斜視図
【図３９】同側断面図
【図４０】従来の手乾燥装置の一例を示す縦断面図
【図４１】同斜視図
【図４２】従来の手乾燥装置の一例を示す斜視図
【図４３】同縦断面図
【符号の説明】
【００８９】
１ 手乾燥装置
２ ノズル部
３ 乾燥室
４ 処理空間
５ ファンモータ
６ 発熱手段
７ 制御手段
８ 検知手段
９ 吸込口
１０ 軸受
１１ 静止部
１２ 回転軸
１３ 回転ノズル
１４ 高圧部
１５ 大気圧部
１６ 噴流発生部
１７ 噴流発生部設置面
１８ 制御翼
１９ モータ
２０ 流路
２１ バランス調整部
２２ 防護壁
２３ ドレン穴
２４ ドレンタンク
２５ 静止ノズル
２６ 自転装置
２７ 中心点